(57)【要約】【目的】  隣接する２枚の天井パネルの連結において、たわんで沈み込み、食い違って生ずる面段差を施工容易に解消すること。【構成】  隣接する天井パネル（１）（２）に、対向側部に立設されたリブ（３）に隣接して内側にボス（４）が設けられ、高低差のある２つの水平片部が各々の端縁において垂直片部により連結された断面クランク形状の面段差解消金具を用い、その低い方の水平片部をたわんだ沈み込みの大きい方の天井パネルのボス側に配置し、高い方の水平片部を他方の天井パネル側に配置し、低い方の水平片部からビスを沈み込みの大きい方の天井パネルのボスにねじ込み、締め付けて高い方の水平片部に各天井パネルのリブを当接させ、隣接する２枚の天井パネルの面段差を解消する。【選択図】図１
2005179955.tif 000002
【特許請求の範囲】
【請求項１】
隣接する２枚の天井パネルの対向側部にリブが立設され、このリブを突き合わせて２枚の天井パネルが連結される天井パネルの連結構造において、各天井パネルにはリブに隣接して内側にボスが設けられ、高低差のある２つの水平片部が各々の端縁において垂直片部により連結された断面クランク形状の面段差解消金具を用い、その低い方の水平片部をたわんだ沈み込みの大きい方の天井パネルのボス側に配置し、高い方の水平片部を他方の天井パネル側に配置し、低い方の水平片部からビスを沈み込みの大きい方の天井パネルのボスにねじ込み、締め付けて高い方の水平片部に各天井パネルのリブを当接させ、隣接する２枚の天井パネルの面段差を解消することを特徴とする天井パネルの連結構造。
【発明の詳細な説明】
【技術分野】
【０００１】
この出願の発明は、天井パネルの連結構造に関するものである。さらに詳しくは、この出願の発明は、隣接する２枚の天井パネルの連結において、たわんで沈み込み、食い違って生ずる面段差を施工容易に解消することのできる天井パネルの連結構造に関するものである。
【背景技術】
【０００２】
ユニットルームの天井は天井パネルを連結することにより形成される。具体的には、たとえば、隣接する２枚の天井パネルの対向側部にリブが立設され、このリブを突き合わせてネジ、ナット等を用いて連結する構造が知られている（たとえば、特許文献１参照）。
【特許文献１】特開２００３−１６０９９６号公報
【発明の開示】
【発明が解決しようとする課題】
【０００３】
しかしながら、天井パネルは、その自重等によりたわんで沈み込み、隣接する２枚の天井パネル間で食い違い、面段差が生ずることが少なくない。
【０００４】
この出願の発明は、このような事情に鑑みてなされたものであり、隣接する２枚の天井パネルの連結において、たわんで沈み込み、食い違って生ずる面段差を施工容易に解消することのできる天井パネルの連結構造を提供することを解決すべき課題としている。
【課題を解決するための手段】
【０００５】
この出願の発明は、上記の課題を解決するものとして、隣接する２枚の天井パネルの対向側部にリブが立設され、このリブを突き合わせて２枚の天井パネルが連結される天井パネルの連結構造において、各天井パネルにはリブに隣接して内側にボスが設けられ、高低差のある２つの水平片部が各々の端縁において垂直片部により連結された断面クランク形状の面段差解消金具を用い、その低い方の水平片部をたわんだ沈み込みの大きい方の天井パネルのボス側に配置し、高い方の水平片部を他方の天井パネル側に配置し、低い方の水平片部からビスを沈み込みの大きい方の天井パネルのボスにねじ込み、締め付けて高い方の水平片部に各天井パネルのリブを当接させ、隣接する２枚の天井パネルの面段差を解消することを特徴とする天井パネルの連結構造を提供する。
【発明の効果】
【０００６】
この出願の発明の天井パネルの連結構造によれば、隣接する２枚の天井パネルの連結において、たわんで沈み込み、食い違って生ずる面段差を施工容易に解消することことができる。
【発明を実施するための最良の形態】
【０００７】
以下、図面に沿ってこの出願の発明の天井パネルの連結構造についてさらに詳しく説明する。
【０００８】
図１は、この出願の発明の天井パネルの連結構造における隣接する２枚の天井パネルの一形態を示した分解斜視図である。
【０００９】
たとえばこの図１に示したように、この出願の発明の天井パネルの連結構造においては、隣接する２枚の天井パネル（１）（２）の対向側部にリブ（３）が立設され、このリブ（３）を突き合わせて２枚の天井パネル（１）（２）がネジ、ナット等を用いて連結される。各天井パネル（１）（２）には、リブ（３）に隣接して内側にボス（４）が設けられている。
【００１０】
そして、この出願の発明の天井パネルの連結構造では、天井パネル（１）（２）の連結において、自重等によりたわんで沈み込み、食い違いって生じる面段差を解消するために、図２＜ａ＞＜ｂ＞に示したような面段差解消金具（５）が用いられる。
【００１１】
面段差解消金具（５）は、高低差のある２つの水平片部（６）（７）が各々の端縁において垂直片部（８）により連結された断面クランク形状を有する。
【００１２】
このような面段差解消金具（５）を用いて面段差を解消するには、図３＜ａ＞＜ｂ＞に示したように、面段差解消金具（５）の低い方の水平片部（７）をたわんだ沈み込みの大きい方の天井パネル（２）のボス（４）側に配置し、高い方の水平片部（６）を他方の天井パネル（１）側に配置する。次いで、低い方の水平片部（７）からビス（９）を沈み込みの大きい方の天井パネル（２）のボス（４）にねじ込み、締め付けて高い方の水平片部（６）に各天井パネル（１）（２）のリブ（３）を当接させる。これにより、隣接する２枚の天井パネル（１）（２）に生じていた面段差（ｈ）が解消される。
【００１３】
このように、この出願の発明の天井パネルの連結構造では、隣接する２枚の天井パネル（１）（２）の対向側部に立設されたリブ（３）に隣接させて内側にボス（４）を設け、断面クランク形状を有する面段差解消金具（５）の低い方の水平片部（７）を、自重等によりたわんだ沈み込みの大きい方の天井パネル（２）のボス（４）側に配置し、ビス（９）をそのボス（４）にねじ込み、締め付け、高い方の水平片部（６）に各天井パネル（１）（２）のリブ（３）を当接させることで、２枚の天井パネル（１）（２）に生じていた面段差（ｈ）を解消することができる。このため、隣接する２枚の天井パネル（１）（２）の連結において、沈み込み量の違いにより生じる面段差（ｈ）を施工容易に解消することができる。
【００１４】
もちろん、この出願の発明は、以上の実施形態によって限定されるものではない。天井パネルの構成及び構造等の細部については様々な態様が可能であることはいうまでもない。
【産業上の利用可能性】
【００１５】
以上詳しく説明したとおり、この出願の発明によって、隣接する２枚の天井パネルの連結において、たわんで沈み込み、食い違って生ずる面段差が施工容易に解消される。
【図面の簡単な説明】
【００１６】
【図１】この出願の発明の天井パネルの連結構造における隣接する２枚の天井パネルの一形態を示した分解斜視図である。
【図２】＜ａ＞＜ｂ＞は、それぞれ、この出願の発明の天井パネルの連結構造に用いられる面段差解消金具の一形態を示した平面図、断面図である。
【図３】＜ａ＞＜ｂ＞は、それぞれ、この出願の発明の天井パネルの連結構造の概要を示した要部工程断面図である。
【符号の説明】
【００１７】
１、２    天井パネル
３    リブ
４    ボス
５    面段差解消金具
６、７    水平片部
８    垂直片部
９    ビス
【図１】
2005179955.tif 000003
【図２】
2005179955.tif 000004
【図３】
2005179955.tif 000005